(57)【要約】【課題】記録した番組を編集する際、視聴者が再生しながら入力部を操作して、必要な部分、必要でない部分を判別して番組編集情報を作成しなければならないという課題と、作成した番組編集情報を他のデジタル放送受信端末で利用できないという課題を有していた。【解決手段】デジタル放送受信端末は、あらかじめ決められた共通のルールに従い番組を分割し、分割部分に特定可能な見出しをつけて記録する。制御部は、必要な部分の見出しを指定して番組編集情報を作成する。作成した番組編集情報は、メモリーカードへの記録や他の編集情報サーバに送信することができる。同じ番組を同じルール、同じ見出しで分割記録した他のデジタル放送受信端末は、メモリーカードや編集情報サーバからこの番組編集情報を入手することで、編集情報を作成したデジタル放送受信端末で実施した編集作業と全く同じ作業を、容易に実現することができる。【選択図】図１
2005252516.tif 000002
【特許請求の範囲】
【請求項１】
デジタル放送受信部、制御部、番組編集制御部、映像表示部、音声出力部、番組／編集情報蓄積部、入力部、メモリーカードＩＦ部または通信部を有するデジタル放送受信端末と、
編集情報蓄積部、通信部を有する編集情報サーバと、
デジタル放送送信部、番組蓄積部、編集情報蓄積部、通信部を有するデジタル放送局と、
前記デジタル放送受信端末、前記編集情報サーバ、前記デジタル放送局間の通信網から成るデジタル放送番組編集システムであって、
前記デジタル放送受信端末にて番組を記録する際に、あらかじめ決められた共通なルールに従って分割記録することを特徴とする、デジタル放送番組編集システム。
【請求項２】
前記デジタル放送受信端末が、番組開始時刻から一定時間を経過するごとに分割して番組を記録することを特徴とする請求項１に記載のデジタル放送番組編集システム。
【請求項３】
前記デジタル放送受信端末が、トランスポートストリームに含まれるＰＣＲパケットから再生されるＳＴＣの値が番組開始時から一定の値増加するごとに分割して番組を記録することを特徴とする請求項１に記載のデジタル放送番組編集システム。
【請求項４】
前記デジタル放送受信端末が、番組開始時から一定のＧＯＰ数が送出されるごとに分割して番組を記録することを特徴とする請求項１に記載のデジタル放送番組編集システム。
【請求項５】
前記デジタル放送受信端末が、分割記録したそれぞれの部分に特定可能な見出しをつけることを特徴とする請求項１に記載のデジタル放送番組編集システム。
【請求項６】
前記デジタル放送受信端末において、分割記録した部分につけた見出しに基づいて必要な部分を指定する番組編集情報を作成することを特徴とする請求項５に記載のデジタル放送番組編集システム。
【請求項７】
前記デジタル放送受信端末において、前記番組編集情報が複数存在する場合に、前記デジタル放送受信端末がそれらをひとつの番組編集情報としてまとめることを特徴とする請求項６に記載のデジタル放送番組編集システム。
【請求項８】
前記デジタル放送受信端末が前記通信網を介して前記編集情報サーバから番組編集情報を入手し、その情報に基づいて記録した番組を編集することを特徴とする請求項６に記載のデジタル放送番組編集システム。
【請求項９】
前記デジタル放送受信端末が、メモリーカードなどを介して他のデジタル放送受信端末で作成した番組編集情報を入手し、その情報に基づいて記録した番組を編集できることを特徴とする請求項６に記載のデジタル放送番組編集システム。
【請求項１０】
前記デジタル放送受信端末が入手した番組編集情報が複数あった場合、視聴者の嗜好情報に基づく編集情報を選択して、その情報に基づいて記録した番組を編集することを特徴とする請求項８または９に記載のデジタル放送番組編集システム。
【請求項１１】
前記デジタル放送受信端末が入手した番組編集情報が複数あった場合、視聴者の嗜好情報に基づく編集情報を選択して、その情報に基づいて記録した番組を再生視聴できることを特徴とする請求項８乃至１０のいずれかに記載のデジタル放送番組編集システム。
【請求項１２】
前記デジタル放送局が、トランスポートストリームに分割位置を指示する情報及び分割した部分につける見出しに関する情報を多重して放送することを特徴とする請求項１に記載のデジタル放送番組編集システム。
【請求項１３】
前記デジタル放送受信端末が、トランスポートストリームに多重された分割位置を指示する情報に基づいて番組を分割して記録することを特徴とする請求項１２に記載のデジタル放送番組編集システム。
【請求項１４】
前記デジタル放送受信端末が、トランスポートストリームに多重された見出しに関する情報に基づいて分割した部分に見出しをつけることを特徴とする請求項１３に記載のデジタル放送番組編集システム。
【請求項１５】
前記デジタル放送局が、分割した部分の内の必要な部分を指定した番組編集情報をトランスポートストリームに多重して放送することを特徴とする請求項１４に記載のデジタル放送番組編集システム。
【請求項１６】
前記デジタル放送受信端末が、トランスポートストリームに多重された番組編集情報に基づいて記録した番組を編集することを特徴とする請求項１５に記載のデジタル放送番組編集システム。
【発明の詳細な説明】
【技術分野】
【０００１】
本発明は、デジタル放送番組編集システムに関する。
【背景技術】
【０００２】
図５は、番組編集情報を外部に対して入出力できない、従来のデジタル放送番組編集システムの構成図である。
【０００３】
図５において、１００はデジタル放送受信端末、１０１はデジタル放送受信部、１０２は制御部、１０３は番組編集制御部、１０４は映像表示部、１０５は音声出力部、１０６は番組蓄積部、１０７は入力部である。
【０００４】
以上のように構成された従来のデジタル放送番組編集システムについて、以下にその動作を説明する。
【０００５】
デジタル放送受信端末１００では、デジタル放送信号をデジタル放送受信部１０１で受信、復調、エラー訂正、トランスポートデコード、映像・音声デコード処理をし、映像出力部１０４から映像を、音声出力部１０５から音声を出力し、番組を視聴できると共に、番組蓄積部１０６に番組を記録することができる。番組蓄積部１０６とは、デジタル放送受信端末１００に内蔵されたハードディスクやメモリなどの記録装置、デジタル放送受信端末１００から着脱可能なディスクやメモリーカードなどの記録媒体、デジタル放送受信端末１００の外部に接続された録画機器などである。
【０００６】
上記従来のデジタル放送番組編集システムでは、番組編集情報を外部から入力できないので、他のデジタル放送受信端末で作成した番組編集情報を利用することができず、記録した番組を編集する際は、視聴者が再生しながら入力部１０７を操作して、必要な部分、必要でない部分を判別して番組編集情報を作成しなければならなかった。また、作成した番組編集情報を外部に出力できないので、他のデジタル放送受信端末に番組編集情報を与えることができなかった。
【特許文献１】特開２００３−１４３５５８号公報
【発明の開示】
【発明が解決しようとする課題】
【０００７】
上記従来のデジタル放送番組編集システムにおいては、記録した番組を編集する際、視聴者が再生しながら入力部を操作して、必要な部分、必要でない部分を判別して番組編集情報を作成しなければならないという課題と、作成した番組編集情報を他のデジタル放送受信端末で利用できないという課題を有していた。
【課題を解決するための手段】
【０００８】
上記課題を解決するために本発明は、番組をあらかじめ決められた共通のルールに従って分割して記録することと、分割記録したそれぞれの部分に特定可能な見出しをつけることと、その見出しを指定したものを番組編集情報として作成することと、その番組編集情報を外部に入出力可能であることと、外部から入力した番組編集情報に基づいて記録した番組を編集することとを特徴とする。
【発明の効果】
【０００９】
本発明のデジタル放送番組編集システムは、作成した番組編集情報を他のデジタル放送受信端末などに対して提供できるという効果と、外部から入力した番組編集情報を利用し、番組編集を容易に実現できるという効果が得られる。
【発明を実施するための最良の形態】
【００１０】
本発明は、番組をあらかじめ決められた共通なルールに従って分割して記録し、分割記録したそれぞれの部分に特定可能な見出しをつけ、その見出しを指定したものを番組編集情報として作成する制御部と、その番組編集情報を外部に入出力可能な通信部やメモリーカードＩＦ部と、外部から入力した番組編集情報を利用して分割記録した番組を編集する番組編集制御部を有することで、作成した番組編集情報を他のデジタル放送受信端末などに対して提供できるという作用と、外部から入力した番組編集情報を利用し、番組編集を容易に実現できるという作用を有する。
【００１１】
（実施の形態１）
図１は、本発明の実施の形態１におけるデジタル放送番組編集システムのブロック図である。
【００１２】
図１において、１００はデジタル放送受信端末、１０１はデジタル放送受信部、１０２は制御部、１０３は番組編集制御部、１０４は映像表示部、１０５は音声出力部、１０６は番組／編集情報蓄積部、１０７は入力部、１０８はメモリーカードＩＦ部、１０９は通信部、２００は通信網、３００は編集情報サーバ、３０１は通信部、３０２は編集情報蓄積部である。
【００１３】
図２は、本発明の実施の形態１における番組編集のイメージを図示したものである。
【００１４】
デジタル放送受信端末１００は、番組を記録する際に、あらかじめ決められた共通なルールに従って番組を分割記録する。この共通なルールとは、例えば番組開始時刻から一定時間を経過するごとに分割したり、トランスポートストリームに含まれるＰＣＲパケットから再生されるＳＴＣの値が番組開始時から一定の値増加するごとに分割したり、番組開始時から一定のＧＯＰ数が送出されるごとに分割したり、どのようなデジタル放送受信端末でも共通なタイミングで分割可能なものとする。さらに、分割記録する際には、それぞれの部分に特定可能な見出しをつけて記録する。見出しとは、例えば図２に示すような数字である。
【００１５】
このように分割記録された番組を再生する時、視聴者は再生しながら入力部１０７を操作して、必要な部分、必要でない部分を判別する。入力部１０７から情報を得た制御部１０２は、必要な部分の見出しを指定して番組編集情報を作成する。
【００１６】
作成した番組編集情報は、メモリーカードＩＦ部１０８に挿入した着脱可能なメモリーカードなどに記録でき、他のデジタル放送受信端末に入力することができる。また、通信部１０９から通信網２００を介してネットワーク上に存在する編集情報サーバ３００の編集情報蓄積部３０２に送信することができる。
【００１７】
同じ番組を同じルール、同じ見出しで分割記録した他のデジタル放送受信端末は、メモリーカードなどを介して、また、編集情報サーバ３００から、この番組編集情報を入手することで、編集情報を作成したデジタル放送受信端末で実施した編集作業と全く同じ作業を、容易に実現することができる。
【００１８】
（実施の形態２）
上記実施の形態１に加えて、複数の番組編集情報をひとつの情報としてまとめられるようにしたものが、実施の形態２である。図１、図２は共通である。
【００１９】
実施の形態１は、ある番組についての番組編集情報を視聴者が１つだけ作成した場合であるが、実施の形態２では視聴者が番組編集情報を複数作成した場合、制御部１０２がそれらをひとつの番組編集情報としてまとめる。例えば、ニュース番組においてジャンル（政治、経済など）別に編集情報を作成したり、スポーツ中継においてテーマ（得点シーン、特定選手が活躍するシーンなど）別に編集情報を作成したり、ドラマにおいてダイジェスト５分版、１０分版など時間別に編集情報を作成したりすることが考えられる。
【００２０】
実施の形態１と同様に、他のデジタル放送受信端末がこの番組編集情報を入手することで、複数の編集情報の中から好みの編集作業を容易に実現することができたり、記録した番組を好みの編集情報に基づいて単に再生視聴したりすることができる。
【００２１】
（実施の形態３）
図３は、本発明の実施の形態３におけるデジタル放送番組編集システムのブロック図である。
【００２２】
図３において、４００はデジタル放送局、４０１はデジタル放送送信部、４０２は番組蓄積部、４０３は通信部、４０４は編集情報蓄積部であり、それ以外の部分は図１と共通である。
【００２３】
図４は、本発明の実施の形態３における番組編集のイメージを図示したものである。
【００２４】
デジタル放送局４００は、デジタル放送受信端末１００に対して番組をどのように分割記録させるか、それぞれの部分にどのような見出しをつけるか、番組のどの部分が必要かを、あらかじめ番組編集情報として作成しておき、編集情報蓄積部４０４に記録しておく。そしてその情報に従い、番組蓄積部４０２から読み出した番組を変換したトランスポートストリームに分割位置を指示する情報、分割した部分につける見出しに関する情報を多重して、デジタル放送送信部４０１から送信する。また、デジタル放送局４００は、通信部４０３を介して、番組のどの部分が必要かに関する情報を、番組編集情報として集情報サーバ３００の編集情報蓄積部３０２に記録させる。
【００２５】
デジタル放送受信端末１００では、デジタル放送受信部１０１のトランスポートデコード部にて、分割位置を指示する情報を取得、制御部１０２がこれに従って番組／編集情報蓄積部１０６に分割記録すると共に、指定された見出しをつける。図４の分割記録後にそのイメージを示す。
【００２６】
そして、デジタル放送受信端末１００は、通信部１０９を介して、編集情報サーバ３００の編集情報蓄積部３０２から、記録した番組の番組編集情報を入手することにより、デジタル放送局の意図した通りの編集作業と全く同じ作業を、容易に実現することができる。
【００２７】
また、番組編集情報はデジタル放送局が作成して編集情報サーバ３００に記録させる以外に、他の視聴者が独自の編集情報を記録させる場合もある。さらに、編集情報の入手手段も通信網を介して入手する以外に、メモリーカードなどを介して入手する手段もある。
【００２８】
（実施の形態４）
上記実施の形態３に加えて、編集の際に番組のどの部分が必要かに関する番組編集情報もトランスポートストリームに多重して放送するものが、実施の形態４である。図３、図４は共通である。
【００２９】
実施の形態３は、デジタル放送局４００はトランスポートストリームに分割位置を指示する情報、分割した部分につける見出しに関する情報を多重するだけであったが、実施の形態４では、これに加えて編集の際に番組のどの部分が必要かに関する番組編集情報もトランスポートストリームに多重して、デジタル放送送信部４０１から送信する。多重する手段としては、例えば、データ放送のコンテンツの一部として送出する手段がある。
【００３０】
デジタル放送受信端末１００は、この番組編成情報をトランスポートストリームから抜き出すことにより、デジタル放送局の意図した通りの編集作業と全く同じ作業を、容易に実現することができる。
【産業上の利用可能性】
【００３１】
本発明のデジタル放送番組編集システムは、作成した番組編集情報を他のデジタル放送受信端末などに対して提供できるという効果と、外部から入力した番組編集情報を利用し、番組編集を容易に実現できるという効果を有し、視聴者が記録した番組を編集する用途において有用である。
【図面の簡単な説明】
【００３２】
【図１】本発明の実施の形態１と２におけるデジタル放送番組編集システムの構成を示すブロック図
【図２】本発明の実施の形態１と２における番組編集のイメージ図
【図３】本発明の実施の形態３と４におけるデジタル放送番組編集システムの構成を示すブロック図
【図４】本発明の実施の形態３と４における番組編集のイメージ図
【図５】従来のデジタル放送番組編集システムの構成を示すブロック図
【符号の説明】
【００３３】
１００    デジタル放送受信端末
１０１    デジタル放送受信部
１０２    制御部
１０３    番組編集制御部
１０４    映像表示部
１０５    音声出力部
１０６    番組／編集情報蓄積部
１０７    入力部
１０８    メモリーカードＩＦ部
１０９    通信部
２００    通信網
３００    編集情報サーバ
３０１    通信部
３０２    編集情報蓄積部
４００    デジタル放送局
４０１    デジタル放送送信部
４０２    番組蓄積部
４０３    通信部
４０４    編集情報蓄積部
【図１】
2005252516.tif 000003
【図２】
2005252516.tif 000004
【図３】
2005252516.tif 000005
【図４】
2005252516.tif 000006
【図５】
2005252516.tif 000007